(57)【要約】【課題】  本発明は、イカの興味を引き付け、食い付きの良い餌木を提供することを課題とする。【解決手段】  細長状に形成されたボディ１０１を有し、このボディ１０１の縦断面形状に於いて、ボディ表面に直線部が形成されているイカ釣り用餌木。この直線部は、ボディ１０１の長手方向に連続的に形成されることにより、ボディ表面の長手方向に光反射面５１が形成されている。更に、この光反射面５１は、ボディ１０１の背側に形成されている。【選択図】  図２
2007068474.tif 000002
【特許請求の範囲】
【請求項１】
細長状に形成されたボディを有するイカ釣り用の餌木であって、ボディの縦断面形状に於いて、ボディ表面に直線部が形成されていることを特徴とするイカ釣り用餌木。
【請求項２】
前記直線部が、ボディの周方向に複数形成され、前記複数の直線部が所定角を以って繋がっている請求項１に記載のイカ釣り用餌木。
【請求項３】
前記複数の直線部が、少なくともボディの背側に形成された請求項２に記載のイカ釣り用餌木。
【請求項４】
前記直線部が、ボディの長手方向に連続して形成されていることにより、ボディ表面の長手方向に光反射面が形成されている請求項１〜３の何れか１項に記載のイカ釣り用餌木。
【発明の詳細な説明】
【技術分野】
【０００１】
本発明は、イカ釣りに用いる餌木に関する。
【背景技術】
【０００２】
従来、イカ釣り用の餌木として、例えば、特開平１１−１２７７３１号公報に記載のように外形をエビ等に似せたものが知られている。かかる餌木は、細長状に形成されたボディと、ボディの前端に取り付けられた釣糸係止部と、ボディの後端に取り付けられた釣針とを備えている。このボディは、縦断面形状が略円状（楕円状を含む）に形成されている。そして、ボディの表面には、太陽光や集魚灯などの光を反射させることで餌木への興味をイカに与えるために、光反射性の良い反射シールなどが貼り付けられ、更に、その表面を覆うように、無数の網目を有するメッシュ状の布地が巻かれている。
【０００３】
上記構成の餌木は、釣糸係止部に釣り糸が係止され、海中に投入されて使用される。そして、海中に於ける餌木に、太陽光や集魚灯などの光が当たると、ボディの反射シートを介して光が反射し、この反射光によってイカが餌木に興味を示し、該餌木を捕食する。
【０００４】
【特許文献１】特開平１１−１２７７３１号公報
【発明の開示】
【発明が解決しようとする課題】
【０００５】
しかしながら、従来の餌木は、ボディの縦断面形状が略円状となっているため、図７に示すように、ボディに当たった光は様々な方向に反射する。そのため、イカの視覚に届く反射光が弱く、イカが興味を引くような強い光を反射させることができない。よって、従来の餌木では、イカが十分に興味を示さない。特に、近年、釣人が多く、その反面、イカの個体数は少なくなっていることから、イカの興味をそそり、食い付きの良い餌木の提供が望まれている。
【０００６】
そこで、本発明は、イカの興味を引き付け、食い付きの良い餌木を提供することを課題とする。
【課題を解決するための手段】
【０００７】
前記課題を解決すべく、本発明は、細長状に形成されたボディを有するイカ釣り用の餌木であって、ボディの縦断面形状に於いて、ボディ表面に直線部が形成されていることを特徴とするイカ釣り用餌木を提供する。
【０００８】
本発明の餌木は、従来と同様の手法でイカ釣りに使用される。
本発明の餌木は、ボディの縦断面形状に於いてボディ表面に直線部が形成されているので、図６に示すように、海中においてボディ表面の直線部Ｘに光が当たると、その略全ての光線が同じ方向に反射する。従って、本発明の餌木は、一方向に大光量の光を反射させることができるので、イカの視覚を刺激し易く、イカの興味を十分に引き付けることができる。
【０００９】
また、特許請求の範囲の請求項２に記載の如く、前記直線部が、ボディの周方向に複数形成され、前記複数の直線部が所定角を以って繋がっているのが有するのが好ましい。
【００１０】
太陽光や集魚灯などの光は、一方向から海中に差し込むのに対し、海中に於ける餌木は、釣人によって様々な動き（アクション）が与えられる。
従って、餌木が動くと、光の当たる部分（例えば、通常、餌木の背側に太陽光などの光が当たっているが、餌木が回転することで、餌木の側面に光が当たる等）が変化する。この点、上記のようにボディの周方向に複数の直線部が形成されていることにより、餌木が動くことによって光の当たる部分が変わっても、直線部を介して、一方向に大光量の光を反射させることが可能となる。
【００１１】
さらに、この複数の直線部は、周方向に隣り合う直線部が所定角を以て繋がって形成されているので、直線部間で光が様々な方向に反射することを防止できる。つまり、仮に、隣り合う直線部の間が、円弧状に形成されていると、その円弧状部分に当たる光は、従来と同様に様々な方向に反射する。従って、その部分に於いては、弱い光を反射して、薄暗く見える。この点、直線部が所定角を以て連続的に形成されていることにより、１つの直線部にて光が反射する方向以外には、光が殆ど反射しないようになる。そのため、海中において餌木に動きを与えてやると、大光量の光を反射させる直線部が変化することで、あたかも餌木が煌いているように見える。従って、かかる餌木は、イカの視覚を刺激し易く、餌木に、一層興味を持つようになる。
【００１２】
また、特許請求の範囲の請求項３に記載の如く、前記複数の直線部が、少なくとも前記ボディの背側に形成されている構成が好ましい。上記の通り、海中において、餌木は、海上からの太陽光や集魚灯などの光で照らされるので、ボディの背側が他の部分に比べて光が当たり易い。このように、少なくとも光の良く当たる背側に上記複数の直線部を形成することで、上記効果の実効を図ることができる。
【００１３】
また、特許請求の範囲の請求項４の如く、前記直線部が、ボディの長手方向に連続的に形成されていることにより、ボディ表面の長手方向に光反射面が形成されている構成が好ましい。特に、この光反射面は、長手方向に略平坦状に形成されていることが好ましい。尚、長手方向に略平坦状とは、長手方向の傾斜変化が全くないフラットな状態のほか、長手方向の傾斜が緩やかに変化した状態を含む意味である。
このように、長手方向に光反射面が形成されていることで、反射面積が広くなり、大光量の光を一方向に面状に反射させることができ、イカの視覚をより刺激することが可能となる。
【発明の効果】
【００１４】
本発明のイカ釣り用餌木は、イカの視覚を刺激して、イカの興味を引き付けることができる。
従って、従来の餌木に比して、捕食性に優れたイカ釣り用餌木を提供できる。
【発明を実施するための最良の形態】
【００１５】
以下、添付図面を参照しつつ、本発明の一実施形態に係る餌木について説明する。
【００１６】
図１に示すように、本実施形態の餌木１００は、例えば、エビの模様が描かれたメッシュ１０８で表面全体が覆われたボディ１０１と、ボディ１０１の前端に取り付けられた釣糸係止部１０２と、ボディ１０１の後端に取り付けられた釣針１０３とを備えている。また、餌木１００は、ボディ１０１の前部の左右に一対の目１０４が取り付けられ、それぞれの目１０４の後方には前方へ延びる胸ぼろ１０５が取り付けられている。さらに、ボディ１０１の腹側には、餌木１００に潜水性を与えるための錘１０６が取り付けられている。
【００１７】
図２は、ボディ１０１の外観図である。
図２に示すように、ボディ１０１は、例えば、エビを似せた形状に形成され、全体として、釣糸係止部１０２の設けられた前端から釣針１０３の設けられた後端へと伸びる細長い形状に形成されている。具体的には、ボディ１０１の前端部及び後端部は、次第に縮径する細い形状に形成され、且つボディ１０１の中央部は、前端部及び後端部から次第に径大化する太い形状に形成されており、全体的に中央部が膨らんだ流線形に形成されている。
【００１８】
図３は、餌木１００のＡ−Ａ断面図（ボディ１０１の縦断面形状を表す。尚、ボディ１０１の縦断面とは、ボディ１０１の長手方向に対して略直交する面で切断した断面を言う）である。なお、図３では、ボディ１０１の内部構造については省略している。
【００１９】
ボディ１０１は、例えば、透明又は半透明の合成樹脂成型品からなり、左右一対の半割成型品を接合することで構成されている。ボディ１０１の材質は、特に限定されず、例えば、ポリエチレン、ポリプロピレンなどのオレフィン系、ポリエチレンテレフタレートなどのポリエステル系、ＡＢＳ樹脂、ポリ塩化ビニル系、ポリカーボネートなどの１種又は２種以上の合成樹脂などを用いることができる。
また、ボディ１０１は、上記のような中空状のものに限られず、中実状のものでもよい。中実状のボディ１０１としては、例えば、天然木から成形されているものや、ポリプロピレンやポリウレタンなどの合成樹脂発泡体から成型されているものなどが挙げられる。
【００２０】
該ボディ１０１は、図３に示すように、例えば、中空状となっており、縦断面形状に於いて、ボディ１０１表面には、周方向に向きの異なる直線部３１〜３８がボディ１０１の周方向に複数（例えば８個）形成されている。
各直線部３１，…の両端は、隣り合う他の直線部３１，…と所定角を以て繋がっている。従って、縦断面形状に於いてボディ１０１表面は、多角形状（例えば、図３に示すように８角形）となっている。
【００２１】
また、２つの直線部３１，…の両端が繋がる稜線４１〜４８は、ボディ１０１の背側の中央部、腹側の中央部、両側面の中央部と、背側中央部及び両側面の中央部の中間位置と、腹側中央部及び両側面の中央部の中間位置に形成されている。
【００２２】
なお、各稜線４１，…におけるボディ１０１内側の角度（各直線部の所定角）は、特に限定されないが、６０°〜１５０°程度が好ましく、更に、１２０°〜１４０°程度がより好ましい。この角度が小さ過ぎると、餌木１００がエビに似ず、一方、角度が大き過ぎると、１つの直線部３１と他の直線部３２で光の反射する方向がほぼ同じとなり、餌木１００が煌いているように見え難くなるためである。また、すべての角度を略同じにする必要はなく、例えば、稜線４１，…毎に異ならせても良い。例えば、腹側中央部の稜線４５の角度を小さく、その他の稜線４１，…の角度を腹側中央部の稜線４５よりも大きくしてもよい。
【００２３】
各直線部３１，…は、ボディ１０１の長手方向全体にわたって連続的に形成されている。すなわち、ボディ１０１の長手方向全体にわたってボディ１０１表面の縦断面形状が多角形状（例えば８角形）となるように、各直線部３１，…は、ボディ１０１の長手方向全体に連続して形成されている。
具体的には、ボディ１０１の流線形に沿って、ボディ１０１の前端部及び後端部に形成された各直線部３１，…は周方向長さが短く、ボディ１０１の中央部に形成された各直線部３１，…は相対的に長く形成されており、ボディ１０１表面の縦断面形状は、ボディ１０１各部に於いて略相似形の多角形状に形成されている。
【００２４】
このように、各直線部３１，…が長手方向の全体にわたって連続して形成されることにより、ボディ１０１の表面には、長手方向に伸びる複数（例えば８個）の光反射面（図２では、そのうち４つの光反射面５１〜５４が示されている）が形成されている。この光反射面５１，…は、ボディ１０１の前端部及び後端部で幅が狭く、中央部で広くなっている。各光反射面５１，…は、ボディ１０１の流線形に沿って、緩やかに湾曲した略平坦状の面（長手方向の傾斜が緩やかに変化した面）となっている。
【００２５】
かかるボディ１０１表面の全体には、図３に示すように、反射シート１０７が貼り付けられている。この反射シート１０７は、餌木１００の光の反射率を高めるためのものであり、従来公知の餌木に使用されている反射シート、例えば、アルミ箔を積層した粘着シートやホログラムシートなどを用いることができる。そして、反射シート１０７の上から上記したメッシュ１０８がボディ１０１に被着されている。このメッシュ１０８は、太陽光などの光を反射シート１０７に入出射させることができる程度の網目を有するものであれば特に限定されず、従来公知の餌木に使用されている網目状の布地などを用いることができる。
【００２６】
上記構成からなる餌木１００は、直線部３１，…の連続で形成される光反射面５１，…に反射シート１０７が貼り付けられている。従って、餌木１００を海中に投入し、該餌木１００の表面に太陽光などの光が当たると、直線部３１，…を含む光反射面５１，…（直線部を含む光反射面とは、直線部及び光反射面の双方を指す。以下同様）にて、略全ての光線が同じ方向に反射する（図６参照）。従って、本発明の餌木１００は、一方向に大光量の光を反射させることができるので、イカの視覚を刺激し易く、イカの興味を十分に引き付けることができる。
【００２７】
また、釣人が、海中に於ける餌木１００に様々な動きを与えると、餌木１００は回転などのアクションを起こし、餌木１００の光の当たる部分は、背部、側面、腹部等に変化する。
この点、直線部３１，…を含む光反射面５１，…が、ボディ１０１の周方向に複数形成されているので、餌木１００が回転などすることによって光の当たる部分が変わっても、直線部３１，…を含む光反射面５１，…にて、一方向に大光量の光を反射させることが可能となる。
【００２８】
さらに、上記構成からなる餌木１００は、直線部３１，…を含む光反射面５１，…が、周方向に隣り合う他の直線部３１，…を含む光反射面５１，…と稜線４１，…を介して所定角を以て繋がっているので、該稜線４１，…（隣合う直線部間）に於いて、光が様々な方向に反射することを防止できる。
従って、海中において餌木１００に動きを与えてやると、一方向に大光量の光を反射させ得る直線部３１，…を含む光反射面５１，…が変化することで、あたかも餌木が煌いているように見える。そのため、イカの視覚を刺激し易く、餌木１００に、一層興味を持つようになる。
【００２９】
また、海中においては、餌木１００は、海上からの太陽光や集魚灯などの光で照らされるので、ボディ１０１の背側が他の部分に比べて光が当たり易い。従って、少なくとも光のボディ１０１の背側に直線部３１，…を含む光反射面５１，…が形成されていることで、上記効果の実効を図ることができる。
【００３０】
ところで、光反射面５１，…は、図２に示すように、長手方向の傾斜が緩やかに変化する面となっているが、長手方向の傾斜変化が全くないフラットな面に形成されていてもよい。光反射面５１，…を全くフラットな面に形成すると、光反射面５１，…を長手方向の傾斜が緩やかに変化する面に形成する場合よりも、光反射面５１，…は、長手方向に於いても全く同じ方向に光を反射でき、より大光量の光を一方向に面状に反射させることができる。
【００３１】
なお、光反射面５１，…をフラットな面とする場合は、ボディ１０１の長手方向表面形状は、滑らかな流線形状に形成することはできない。
この点、ボディ１０１の長手形状を略流線形状に近づけるため、例えば、光反射面５１，…の長手方向長さをボディ１０１の全長の数分の１以下とし、該光反射面５１，…を長手方向に所定角（１８０°に近い角度）を以て繋げるように形成することことが好ましい。
【００３２】
尚、本発明は、上記各実施形態に限定されるものではなく、種々の態様に変形することもできる。
例えば、上記各実施形態では、ボディ１０１の縦断面形状に於いて、ボディ１０１表面の周方向全体に直線部３１，…が形成され、且つ縦断面形状が８角形状に形成されているが、該８角形状に限定されるものではなく、例えば、６角形、１０角形などに形成することも可能である。
もっとも、本発明では、ボディ１０１の縦断面形状に於いて、６〜１０角形の部分を有するように形成されることが好ましい。これは、例えば、３角形〜５角形に形成すると、ボディ１０１が角ばることから、エビ似状など餌木本来の形状に形成できず、他方、１０角形を越えると直線部３１，…を含む光反射面５１，…の幅が非常に短くなり、一方向に反射する光量が少なくなって、反射光が弱くなる虞があるためである。
【００３３】
また、ボディ１０１の縦断面形状に於いて、ボディ１０１表面の周方向全体に直線部３１，を含む光反射面５１，…を形成する必要はなく、１部分のみに直線部３１を含む光反射面５１を形成してもよい。
【００３４】
例えば、図４に示すように、ボディ１０１表面の背側にのみ、直線部３１，…を含む光反射面５１，…を複数又は１個形成してもよい。これは、餌木１００は、主に太陽光や集魚灯などの海上からの光に照らされるので、ボディ１０１の背側に海上からの光が最もよく当たるからである。
従って、少なくとも光の良く当たる背側に直線部３１，…を含む光反射面５１，…を形成することで、一方向に大光量の光を反射させることができ、又、餌木１００が恰も煌いているように見せることができる。
【００３５】
さらに光反射面５１，は、ボディ１０１の長手方向全体に形成する必要はなく、例えば、図５に示すように、ボディ１０１の中央部のみに形成してもよい。中央部は径が大きいので、周方向に幅の広い（直線部３１，…が長い）光反射面５１，…を形成することができる。従って、少なくともボディ１０１の中央部に光反射面５１，…を形成することで、大光量の光を一方向に反射させることができるので好ましい。
【００３６】
尚、上記実施形態では、反射シート１０７をボディ１０１表面に貼り付けることでボディ１０１の光の反射率を高めているが、反射シート１０７を貼り付けることに代えて又は併用して、ボディを構成する素材に光反射性に優れた微粒子を混入することで、ボディ１０１の反射率を高くすることもできる。また、ボディ１０１の表面に、光反射性を有する印刷を施しても良い。また、ボディ１０１の表面が鏡面状に形成され、光反射性の高いものであれば、上記のように反射シート１０７を貼るなどの反射処理を別途に施さなくても良い場合もある。
さらに、上記実施形態では、ボディ１０１にはメッシュ１０８が被着されているが、メッシュ１０８を省略することも可能である。
【図面の簡単な説明】
【００３７】
【図１】本実施形態の餌木の側面図。
【図２】同餌木のボディの側面図。
【図３】図１のＡ−Ａ線縦断面図。
【図４】他の実施形態の餌木の縦断面図。
【図５】他の実施形態における餌木のボディの側面図。
【図６】本発明の餌木における光の反射方向について説明するための参考縦断面図。
【図７】従来の餌木における光の反射方向について説明するための参考縦断面図。
【符号の説明】
【００３８】
１００  餌木
１０１  ボディ
１０２  釣糸係止部
１０３  釣針
１０４  目
１０５  胸ぼろ
１０６  錘
１０７  反射シート
１０８  メッシュ
３１〜３８  直線部
４１〜４８  稜線
５１〜５４  光反射面
【図１】
2007068474.tif 000003
【図２】
2007068474.tif 000004
【図３】
2007068474.tif 000005
【図４】
2007068474.tif 000006
【図５】
2007068474.tif 000007
【図６】
2007068474.tif 000008
【図７】
2007068474.tif 000009